(57)【要約】【課題】キャッシュマネージメントシステム（２００）を使用して支払代行を行う際に、振込処理に失敗した振込を特定し、特定した振込の処理の取り扱いに係る手続の煩雑さを軽減する。【解決手段】支払依頼者の端末（１０４）からのファイルから各振込明細を抽出して支払代行明細としてレコード毎に第１のデータベース（２２４）に登録し、支払代行者の端末（１０２）からの指示に応答して、集約振込ファイルを作成して勘定系システム（２４０）へ送信し、外部から振込に失敗した振込明細の情報を受信して支払代行明細を抽出して、第２のデータベース（２２８）へ支払不調明細として登録し、支払依頼者の端末（１０４）から失敗した振込の処理の選択に係る情報を受信して支払不調明細へ登録し、登録した支払不調明細に基づいて失敗した振込についての処理を依頼するように構成した。【選択図】図１
2014119812.tif 000002
【特許請求の範囲】
【請求項１】
支払代行明細記憶手段（２２４）、支払不調明細記憶手段（２２８）、訂正・組戻依頼記憶手段（２３０）、ファイル処理手段（２０４）、振込処理手段（２０８）、不調処理手段（２１０）、訂正・組戻依頼データ作成手段（２１２）及び通信手段（２０２）を備え、支払代行者が操作する第１のクライアント端末（１０２）、支払依頼者が操作する第２のクライアント端末（１０４）及び金融機関の勘定系システム（２４０）と前記通信手段を介して通信するキャッシュマネージメントシステムサーバであって、
前記ファイル処理手段（２０４）は、前記第２のクライアント端末（１０４）から送信されたファイルから、振込日、受取人名、振込先口座識別情報及び振込金額を含む支払いに係る各振込明細を抽出して支払代行明細としてレコード毎に前記支払代行明細記憶手段（２２４）に登録するように構成され、
前記振込処理手段（２０８）は、前記第１のクライアント端末（１０２）からの指示に応答して、前記ファイルを集約して集約振込ファイルを作成し、前記通信手段（２０２）を介して前記勘定系システム（２４０）へ送信するように構成され、
前記不調処理手段（２１０）は、外部から入力された情報に含まれた振込に失敗した振込明細中の振込日、受取人名、振込先口座識別情報及び振込金額に基づいて前記支払代行明細記憶手段（２２４）から当該失敗した振込に該当する支払代行明細を抽出して、前記支払不調明細記憶手段（２２８）へ支払不調明細としてレコード毎に登録するように構成され、前記支払不調明細は前記外部から入力された情報に含まれた被仕向け金融機関により付与された前記失敗した振込を識別する振込不調識別情報及び不調原因を含み、前記不調処理手段（２１０）は、前記第２のクライアント端末（１０４）から前記失敗した振込の処理を組戻とする選択または訂正とする選択及び当該訂正内容を受信して前記支払不調明細記憶手段（２２８）の該当するレコードへ登録するようにさらに構成され、
前記訂正・組戻依頼データ作成手段（２１２）は、前記第１のクライアント端末（１０２）からの指示に応答して、前記支払不調明細記憶手段（２２８）に登録された、前記振込不調識別情報と、前記失敗した振込の処理を組戻とする選択または前記失敗した振込の処理を訂正とする選択及び訂正内容とを含む依頼データを作成し前記訂正・組戻依頼記憶手段（２３０）へ登録し、作成した前記依頼データを前記前記通信手段（２０２）へ出力するように構成された、
ことを特徴とするキャッシュマネージメントシステムサーバ。
【請求項２】
前記外部から入力された情報は、前記第１のクライアント端末または前記勘定系システムから入力された情報であることを特徴とする請求項１に記載のキャッシュマネージメントシステムサーバ。
【請求項３】
作成した前記依頼データは前記前記通信手段（２０２）を介して前記第１のクライアント端末、前記勘定系システム及び通信サーバのいずれかへ送信されることを特徴とする請求項１または２に記載のキャッシュマネージメントシステムサーバ。
【請求項４】
支払代行者の貸借及び支払依頼者の貸借を記憶する貸借記憶手段（２２６）、及び
受信した前記ファイル中の前記振込明細に基づいて前記貸借記憶手段中の前記支払代行者の貸借及び支払依頼者の貸借を更新するように構成され貸借処理手段（２０６）をさらに備え、
前記貸借処理手段は、前記失敗した振込の処理を組戻とする選択を含む前記依頼データを送信した後に、前記前記失敗した振込に関する資金の返金を反映するように、前記前記貸借記憶手段中の前記支払代行者の貸借及び支払依頼者の貸借を更新するようにさらに構成されたことを特徴とする請求項１、２または３に記載のキャッシュマネージメントシステムサーバ。
【請求項５】
支払代行明細記憶手段（２２４）、支払不調明細記憶手段（２２８）、訂正・組戻依頼記憶手段（２３０）、通信手段（２０２）及びプロセッサを備え、支払代行者が操作する第１のクライアント端末（１０２）、支払依頼者が操作する第２のクライアント端末（１０４）及び金融機関の勘定系システム（２４０）と前記通信手段を介して通信するコンピュータを、キャッシュマネージメントシステムサーバとし機能させるプログラムであって、前記プログラムは前記コンピュータを、
前記第２のクライアント端末（１０４）から送信されたファイルから、振込日、受取人名、振込先口座識別情報及び振込金額を含む支払いに係る各振込明細を抽出して支払代行明細としてレコード毎に前記支払代行明細記憶手段（２２４）に登録するファイル処理手段（２０４）と、
前記第１のクライアント端末（１０２）からの指示に応答して、前記ファイルを集約して集約振込ファイルを作成し、前記通信手段（２０２）を介して前記勘定系システム（２４０）へ送信する振込処理手段（２０８）と、
外部から入力された情報に含まれた振込に失敗した振込明細中の振込日、受取人名、振込先口座識別情報及び振込金額に基づいて前記支払代行明細記憶手段（２２４）から当該失敗した振込に該当する支払代行明細を抽出して、前記支払不調明細記憶手段（２２８）へ支払不調明細としてレコード毎に登録する不調処理手段（２１０）であって、前記支払不調明細は前記外部から入力された情報に含まれた被仕向け金融機関により付与された前記失敗した振込を識別する振込不調識別情報及び不調原因を含み、前記第２のクライアント端末（１０４）から前記失敗した振込の処理を組戻とする選択または訂正とする選択及び当該訂正内容を受信して前記支払不調明細記憶手段（２２８）の該当するレコードへ登録する前記不調処理手段（２１０）と、
前記第１のクライアント端末（１０２）からの指示に応答して、前記支払不調明細記憶手段（２２８）に登録された、前記振込不調識別情報と、前記失敗した振込の処理を組戻とする選択または前記失敗した振込の処理を訂正とする選択及び訂正内容とを含む依頼データを作成し前記訂正・組戻依頼記憶手段（２３０）へ登録し、作成した前記依頼データを前記前記通信手段（２０２）へ出力する訂正・組戻依頼データ作成手段（２１２）と、
して機能させることを特徴とするプログラム。
【請求項６】
支払代行明細記憶手段（２２４）、支払不調明細記憶手段（２２８）、訂正・組戻依頼記憶手段（２３０）、通信手段（２０２）及びプロセッサを備え、支払代行者が操作する第１のクライアント端末（１０２）、支払依頼者が操作する第２のクライアント端末（１０４）及び金融機関の勘定系システム（２４０）と前記通信手段を介して通信するキャッシュマネージメントシステムサーバにおいて実施する支払代行方法であって、
前記第２のクライアント端末（１０４）から送信されたファイルから、振込日、受取人名、振込先口座識別情報及び振込金額を含む支払いに係る各振込明細を抽出して支払代行明細としてレコード毎に前記支払代行明細記憶手段（２２４）に登録するステップ（Ｓ３０１）と、
前記第１のクライアント端末（１０２）からの指示に応答して、前記ファイルを集約して集約振込ファイルを作成し、前記通信手段（２０２）を介して前記勘定系システム（２４０）へ送信するステップ（Ｓ３０１）と、
振込に失敗した振込明細中の振込日、受取人名、振込先口座識別情報及び振込金額を含む情報を外部から受信するステップ（Ｓ３０３）と、
受信した前記外部からの情報に基づいて前記支払代行明細記憶手段（２２４）から当該失敗した振込に該当する支払代行明細を抽出して、前記支払不調明細記憶手段（２２８）へ支払不調明細としてレコード毎に登録するステップ（Ｓ３０７）であって、前記支払不調明細は前記外部から入力された情報に含まれた被仕向け金融機関により付与された前記失敗した振込を識別する振込不調識別情報及び不調原因を含む、ステップと、
前記第２のクライアント端末（１０４）から前記失敗した振込の処理を組戻とする選択または訂正とする選択及び当該訂正内容を受信して前記支払不調明細記憶手段（２２８）の該当するレコードへ登録するステップ（Ｓ３１１）と、
前記第１のクライアント端末（１０２）からの指示に応答して、前記支払不調明細記憶手段（２２８）に登録された、前記振込不調識別情報と、前記失敗した振込の処理を組戻とする選択または前記失敗した振込の処理を訂正とする選択及び訂正内容とを含む依頼データを作成し前記訂正・組戻依頼記憶手段（２３０）へ登録し、作成した前記依頼データを前記前記通信手段（２０２）へ出力するステップ（Ｓ３１５、Ｓ３１７）と、
を含むことを特徴とする支払代行方法。
【発明の詳細な説明】
【技術分野】
【０００１】
本発明は、キャッシュマネージメントシステム（ＣＭＳ）に関し、より詳細には、ＣＭＳにおける支払代行に関する。
【背景技術】
【０００２】
従来、企業グループ内の各社の資金の運用・管理などを一元的、効率的、効果的に行うキャッシュマネージメントシステム（ＣＭＳ）が利用されている。ＣＭＳには種々の利用形態のひとつに、企業グループ内の一社（例えば、親会社または金融子会社）が、グループ内の各社に代わって、各社の取引先に代金を支払う支払代行がある。例えば、支払代行者である親会社は、グループ内の各社が作成した振込依頼に基づいて、金融機関が提供する振込サービスを利用して支払いを代行する。
【発明の概要】
【発明が解決しようとする課題】
【０００３】
しかしながら、振込依頼の内容に誤りがある場合には金融機関における振込処理が失敗し、支払代行者は、振込依頼の内容を訂正したり、振込自体を組戻したりする必要が生じる。特に、ＣＭＳを利用した支払い代行では、支払代行者は複数の依頼元からの支払いを取り扱うため失敗した振込を特定する必要があり、さらに支払の依頼元はグループ内の各社であり、振込依頼の内容もグループ内の各社が作成しているため、失敗した振込処理の取り扱いが煩雑になるという問題がある。
【０００４】
本発明は、このような問題に鑑みてなされたもので、その目的とするところは、金融機関において振込処理に失敗した振込を特定し、特定した振込の処理の取り扱いに係る手続の煩雑さを軽減することのできるキャッシュマネージメントシステム、プログラム、及び支払代行方法を提供することにある。
【課題を解決するための手段】
【０００５】
本発明の第１の態様は、支払代行明細記憶手段（２２４）、支払不調明細記憶手段（２２８）、訂正・組戻依頼記憶手段（２３０）を備えたキャッシュマネージメントシステムサーバ（２００）である。第１の態様のキャッシュマネージメントシステムサーバは、通信手段（２０２）を備え、支払代行者が操作する第１のクライアント端末（１０２）、支払依頼者が操作する第２のクライアント端末（１０４）及び金融機関の勘定系システム（２４０）と前記通信手段を介して通信する。また、第１の態様のキャッシュマネージメントシステムサーバは、ファイル処理手段（２０４）、振込処理手段（２０８）、不調処理手段（２１０）、訂正・組戻依頼データ作成手段（２１２）及び通信手段（２０２）を備える。
【０００６】
一実施形態では、前記ファイル処理手段（２０４）は、前記第２のクライアント端末（１０４）から送信されたファイルから、振込日、受取人名、振込先口座識別情報及び振込金額を含む支払いに係る各振込明細を抽出して支払代行明細としてレコード毎に前記支払代行明細記憶手段（２２４）に登録するように構成されている。
【０００７】
一実施形態では、前記振込処理手段（２０８）は、前記第１のクライアント端末（１０２）からの指示に応答して、前記ファイルを集約して集約振込ファイルを作成し、前記通信手段（２０２）を介して前記勘定系システム（２４０）へ送信するように構成されている。
【０００８】
また、一実施形態では、前記不調処理手段（２１０）は、外部から入力された情報に含まれた振込に失敗した振込明細中の振込日、受取人名、振込先口座識別情報及び振込金額に基づいて前記支払代行明細記憶手段（２２４）から当該失敗した振込に該当する支払代行明細を抽出して、前記支払不調明細記憶手段（２２８）へ支払不調明細としてレコード毎に登録するように構成されていて、前記支払不調明細は前記外部から入力された情報に含まれた被仕向け金融機関により付与された前記失敗した振込を識別する振込不調識別情報及び不調原因を含み、前記不調処理手段（２１０）は、前記第２のクライアント端末（１０４）から前記失敗した振込の処理を組戻とする選択または訂正とする選択及び当該訂正内容を受信して前記支払不調明細記憶手段（２２８）の該当するレコードへ登録するようにさらに構成されている。
【０００９】
一実施形態では、前記訂正・組戻依頼データ作成手段（２１２）は、前記第１のクライアント端末（１０２）からの指示に応答して、前記支払不調明細記憶手段（２２８）に登録された、前記振込不調識別情報と、前記失敗した振込の処理を組戻とする選択または前記失敗した振込の処理を訂正とする選択及び訂正内容とを含む依頼データを作成し前記訂正・組戻依頼記憶手段（２３０）へ登録し、作成した前記依頼データを前記前記通信手段（２０２）へ出力するように構成されている。
【００１０】
一実施形態では、前記第１のクライアント端末または前記勘定系システムから前記外部から入力された情報は入力される。また、作成した前記依頼データは前記前記通信手段（２０２）を介して前記第１のクライアント端末、前記勘定系システム及び通信サーバのいずれかへ送信される。
【００１１】
また、一実施形態では、キャッシュマネージメントシステムサーバは、支払代行者の貸借及び支払依頼者の貸借を記憶する貸借記憶手段（２２６）、及び
受信した前記ファイル中の前記振込明細に基づいて前記貸借記憶手段中の前記支払代行者の貸借及び支払依頼者の貸借を更新するように構成され貸借処理手段（２０６）をさらに備える。
【００１２】
本発明の第２の態様は、支払代行明細記憶手段（２２４）、支払不調明細記憶手段（２２８）、訂正・組戻依頼記憶手段（２３０）、通信手段（２０２）及びプロセッサを備え、支払代行者が操作する第１のクライアント端末（１０２）、支払依頼者が操作する第２のクライアント端末（１０４）及び金融機関の勘定系システム（２４０）と前記通信手段を介して通信するコンピュータを、キャッシュマネージメントシステムサーバとし機能させるプログラムである。
【００１３】
一実施形態では、前記プログラムは前記コンピュータを、前記第２のクライアント端末（１０４）から送信されたファイルから、振込日、受取人名、振込先口座識別情報及び振込金額を含む支払いに係る各振込明細を抽出して支払代行明細としてレコード毎に前記支払代行明細記憶手段（２２４）に登録するファイル処理手段（２０４）として機能させる。
【００１４】
また、一実施形態では、前記プログラムは前記コンピュータを、前記第１のクライアント端末（１０２）からの指示に応答して、前記ファイルを集約して集約振込ファイルを作成し、前記通信手段（２０２）を介して前記勘定系システム（２４０）へ送信する振込処理手段（２０８）として機能させる。
【００１５】
一実施形態では、前記プログラムは前記コンピュータを、外部から入力された情報に含まれた振込に失敗した振込明細中の振込日、受取人名、振込先口座識別情報及び振込金額に基づいて前記支払代行明細記憶手段（２２４）から当該失敗した振込に該当する支払代行明細を抽出して、前記支払不調明細記憶手段（２２８）へ支払不調明細としてレコード毎に登録する不調処理手段（２１０）であって、前記支払不調明細は前記外部から入力された情報に含まれた被仕向け金融機関により付与された前記失敗した振込を識別する振込不調識別情報及び不調原因を含み、前記第２のクライアント端末（１０４）から前記失敗した振込の処理を組戻とする選択または訂正とする選択及び当該訂正内容を受信して前記支払不調明細記憶手段（２２８）の該当するレコードへ登録する前記不調処理手段（２１０）として機能させる。
【００１６】
また、一実施形態では、前記プログラムは前記コンピュータを、前記第１のクライアント端末（１０２）からの指示に応答して、前記支払不調明細記憶手段（２２８）に登録された、前記振込不調識別情報と、前記失敗した振込の処理を組戻とする選択または前記失敗した振込の処理を訂正とする選択及び訂正内容とを含む依頼データを作成し前記訂正・組戻依頼記憶手段（２３０）へ登録し、作成した前記依頼データを前記前記通信手段（２０２）へ出力する訂正・組戻依頼データ作成手段（２１２）として機能させる。
【００１７】
本発明の第３の態様は、支払代行明細記憶手段（２２４）、支払不調明細記憶手段（２２８）、訂正・組戻依頼記憶手段（２３０）、通信手段（２０２）及びプロセッサを備え、支払代行者が操作する第１のクライアント端末（１０２）、支払依頼者が操作する第２のクライアント端末（１０４）及び金融機関の勘定系システム（２４０）と前記通信手段を介して通信するキャッシュマネージメントシステムサーバにおいて実施する支払代行方法である。
【００１８】
一実施形態では、前記支払代行方法は、前記キャッシュマネージメントシステムサーバが、前記第２のクライアント端末（１０４）から送信されたファイルから、振込日、受取人名、振込先口座識別情報及び振込金額を含む支払いに係る各振込明細を抽出して支払代行明細としてレコード毎に前記支払代行明細記憶手段（２２４）に登録するステップ（Ｓ３０１）を含む。
【００１９】
また、一実施形態では、前記支払代行方法は、前記キャッシュマネージメントシステムサーバが、前記第１のクライアント端末（１０２）からの指示に応答して、前記ファイルを集約して集約振込ファイルを作成し、前記通信手段（２０２）を介して前記勘定系システム（２４０）へ送信するステップ（Ｓ３０１）を含む。
【００２０】
一実施形態では、前記支払代行方法は、前記キャッシュマネージメントシステムサーバが、振込に失敗した振込明細中の振込日、受取人名、振込先口座識別情報及び振込金額を含む情報を外部から受信するステップ（Ｓ３０３）を含む。
【００２１】
また、一実施形態では、前記支払代行方法は、前記キャッシュマネージメントシステムサーバが、受信した前記外部からの情報に基づいて前記支払代行明細記憶手段（２２４）から当該失敗した振込に該当する支払代行明細を抽出して、前記支払不調明細記憶手段（２２８）へ支払不調明細としてレコード毎に登録するステップ（Ｓ３０７）であって、前記支払不調明細は前記外部から入力された情報に含まれた被仕向け金融機関により付与された前記失敗した振込を識別する振込不調識別情報及び不調原因を含む、ステップを含む。
【００２２】
一実施形態では、前記支払代行方法は、前記キャッシュマネージメントシステムサーバが、前記第２のクライアント端末（１０４）から前記失敗した振込の処理を組戻とする選択または訂正とする選択及び当該訂正内容を受信して前記支払不調明細記憶手段（２２８）の該当するレコードへ登録するステップ（Ｓ３１１）を含む。
【００２３】
また、一実施形態では、前記支払代行方法は、前記キャッシュマネージメントシステムサーバが、前記第１のクライアント端末（１０２）からの指示に応答して、前記支払不調明細記憶手段（２２８）に登録された、前記振込不調識別情報と、前記失敗した振込の処理を組戻とする選択または前記失敗した振込の処理を訂正とする選択及び訂正内容とを含む依頼データを作成し前記訂正・組戻依頼記憶手段（２３０）へ登録し、作成した前記依頼データを前記前記通信手段（２０２）へ出力するステップ（Ｓ３１５、Ｓ３１７）を含む。
【発明の効果】
【００２４】
以上説明したように、本発明によれば、金融機関において振込処理が失敗した振込を特定し、特定した振込の処理の取り扱いに係る手続の煩雑さを軽減することのできるキャッシュマネージメントシステム、プログラム、及び支払代行方法の提供が可能となる。
【図面の簡単な説明】
【００２５】
【図１】本発明の一実施形態にかかるキャッシュマネージメントシステム（ＣＭＳ）サーバの概略構成図である。
【図２】本発明の一実施形態にかかるＣＭＳサーバの各種データベース（ＤＢ）の一例を示す図であり、（ａ）は支払代行明細ＤＢを、（ｂ）は貸借ＤＢを、（ｃ）は支払不調明細ＤＢを示す図である。
【図３】本発明の一実施形態にかかるＣＭＳサーバの動作を説明するためのフローチャートである。
【発明を実施するための形態】
【００２６】
以下、図面を参照しながら本発明の実施形態について詳細に説明する。
【００２７】
図１は、本発明の一実施形態にかかるキャッシュマネージメントシステム（ＣＭＳ）サーバ２００の概略構成を示す図である。図１には、インターネット等の通信網３００を介してＣＭＳサーバ２００と接続されるクライアント端末１０２，１０４も示されている。また、図１には、ＣＭＳサーバ２００と接続された勘定系システム２４０及び通信サーバ２６０も示されている。さらに、図１には、ＣＭＳサーバ２００を用いた振込における振込先の口座がある被仕向金融機関６００も示されている。
【００２８】
本実施形態においては、支払代行者はグループ内の親会社であり、支払依頼者は同子会社とする。すなわち、グループ内の子会社の支払いを親会社が代行するものとする。子会社はそれぞれ支払いに係る振込に関するファイルを作成し、クライアント端末１０４を使用してＣＭＳサーバ２００へアクセスして作成したファイルをアップロードすることで親会社に支払い代行を依頼する。このファイルは、一般社団法人全国銀行資金決済ネットワーク（全銀ネット）が定めたフォーマットで作成された振込明細を含む。親会社はクライアント端末１０２を使用してＣＭＳサーバ２００へアクセスし子会社からアップロードされたファイルを操作することで子会社から依頼のあった支払いを代行する。
【００２９】
ＣＭＳサーバ２００は、通信部２０２、ファイル処理部２０４、貸借処理部２０６、振込処理部２０８、不調処理部２１０、訂正・組戻依頼データ作成部２１２、ユーザ情報ＤＢ２２２、支払代行明細ＤＢ２２４、貸借ＤＢ２２６、支払不調明細ＤＢ２２８及び訂正・組戻依頼ＤＢ２３０を備える。ＣＭＳサーバ２００は、プロセッサ及びメモリ（図示しない）を備え、メモリにはプロセッサをファイル処理部２０４、貸借処理部２０６、振込処理部２０８、不調処理部２１０及び訂正・組戻依頼データ作成部２１２として機能させるプログラムが記録されている。
【００３０】
通信部２０２は、ＣＭＳサーバ２００がクライアント端末１０２、１０４、勘定系システム２４０及び通信サーバ２６０と情報の送受信を行うための機能を有する。
【００３１】
ファイル処理部２０４は、子会社からアップロードされたファイル中の全銀ネットが定めるフォーマットの振込明細の各々を抽出し、支払代行明細ＤＢ２２４へレコード毎に登録する機能を有する。
【００３２】
図２（ａ）は、支払代行明細ＤＢ２２４に登録されたレコードの例を示す。子会社Ａからアップロードされたファイル中の各振込明細は、振込人名（すなわち、子会社Ａ）、振込日、受取人名、振込先口座を識別する情報（金融機関名、支店名、口座種別、口座番号）、振込金額（支払額）を含み、振込明細毎にファイルから抽出され支払代行明細ＤＢ２２４中のレコードへ支払代行明細として登録される。また、支払代行明細ＤＢ２２４の各レコードは、レコード（支払代行明細）を識別するための支払代行明細ＩＤを含む。ファイル処理部２０４は、子会社からアップロードされたファイル中に含まれる振込明細を抽出して登録する際に、支払代行明細ＩＤを付与する。
【００３３】
貸借処理部２０６は、グループ内の各社の貸借を管理する機能を有する。貸借処理部２０６は、子会社からの親会社に対する支払い代行の依頼に応答して、貸借ＤＢ２２６中の貸借に反映する。すなわち、貸借処理部２０６は、各子会社からＣＭＳサーバ２００へアップロードされたファイルに基づいて、貸借ＤＢ２２６中の親会社及び各子会社の貸借を更新する機能を有する。また、貸借処理部２０６は、支払（振込）が失敗した際に依頼元の子会社が当該振込について組戻をすることを選択した場合に、当該組戻を反映するように貸借ＤＢ２２６中の貸借を更新する機能を有する。
【００３４】
図２（ｂ）は、貸借ＤＢ２２６に格納された親会社、子会社Ａ及び子会社Ｂの貸借の例を示す。図２（ｂ）は、子会社Ａが２０１２年１０月２６日に合計３００万円の支払いの代行を親会社へ依頼し、指定振込日である２０１２年１０月３１日に金融機関において振込を実施した結果、その内の２００万円の支払に相当する振込が成功し、残りの１００万円の支払に相当する振込が失敗し、子会社Ａの選択に基づいて当該振込が２０１２年１１月２日に組戻された場合を例示する。また、図２（ｂ）は、子会社Ｂが２０１２年１０月２９日に合計５００万円の支払いの代行を親会社へ依頼し、指定振込日である２０１２年１０月３１日に金融機関において振込を実施した結果、その全額である５００万円の支払に相当する振込が成功した場合を例示する。
【００３５】
振込処理部２０８は、クライアント端末１０２から入力される親会社の指示にしたがって、各子会社ファイルを集約して集約振込ファイルを作成する機能を有する。集約振込ファイルは、通信部２０２を介して勘定系システム２４０へ送信される。
【００３６】
不調処理部２１０は、振込処理に失敗が生じた場合に、外部から入力される情報に基づいて支払代行明細ＤＢ２２４から当該振込の明細に対応するレコード（支払代行明細）を抽出し、支払不調明細ＤＢ２２８のレコードへ支払不調明細として登録する機能を有する。例えば、不調処理部２１０は、勘定系システムが被仕向金融機関から受信した振込不調通知の内容（振込日、受取人名、振込先口座、振込金額及び不調原因を含む）を当該勘定系システムから受信して、受信した振込不調通知の内容（振込日、受取人名、振込先口座及び振込金額）を用いて支払代行明細ＤＢ２２４から当該振込に対応するレコードを抽出して支払不調明細ＤＢ２２８へ登録することができる。別の例では、親会社の担当者が金融機関からＦＡＸで振込不調通知を受信する場合、不調処理部２１０は、親会社の担当者がクライアント端末１０２に入力した当該振込不調通知の内容（振込日、受取人名、振込先口座、振込金額）を受信して、支払代行明細ＤＢ２２４から当該振込に対応するレコードを抽出して支払不調明細ＤＢ２２８へ登録することができる。また、被仕向金融機関からの振込不調通知は、失敗した振込を識別する振込不調ＩＤを含む。不調処理部２１０は、支払代行明細ＤＢ２２４から抽出した失敗した振込に対応するレコードとともに振込不調ＩＤを支払不調明細ＤＢ２２８へ登録することができる。
【００３７】
なお、不調処理部２１０は、失敗した振込に対応するレコードを支払不調明細ＤＢ２２８へ登録する際に、外部から入力される情報に基づいて支払不調明細ＤＢ２２８に既に失敗した振込に対応するレコードが登録されているかどうか、すなわち２回目以降の振込失敗であるかどうかを確認する。失敗が２回目以降である場合には、不調処理部２１０は、支払不調明細ＤＢ２２８中から直前（最新）の失敗した振込に対応するレコードを抽出して、支払不調明細ＤＢ２２８中に新たなレコードとして登録する。
【００３８】
また、不調処理部２１０は、失敗した振込のレコードを支払不調明細ＤＢ２２８に登録した後に、当該振込による支払いの依頼元である子会社の担当者宛に通知する機能を有する。例えば、通知は、振込が失敗したこと、ＣＭＳサーバ２００へアクセスして失敗した振込に関する情報（振込日、受取人名、振込先口座（金融機関名、支店名、口座種別、口座番号）、振込金額（支払額）、不調原因）を参照して当該振込を組戻とするかあるいは訂正とするかの選択ができる旨の説明を含む。不調処理部２１０は、ユーザ情報ＤＢ２２０を参照して、通知の宛先（例えば、子会社Ａの担当者）および通知手段（例えば、ＦＡＸ又は電子メール）を決定し、通信部２０２を介して通知を通信サーバ２６０へ送信することができる。これにより、通知は、ＦＡＸサーバ２６２またはメールサーバ２６４により予めユーザ情報ＤＢ２２０へ登録された子会社の担当者へ送信される。
【００３９】
さらに、不調処理部２１０は、振込が失敗したことを通知した子会社の担当者からＣＭＳサーバ２００へアクセスがあった時にまたはアクセスしている最中に、クライアント端末１０４へ失敗した振込のレコードを表示するとともに担当者が振込を組戻とするか訂正とするかの選択を可能にする機能、及び失敗した振込を組戻とするか訂正とするかの選択を受信する機能を有する。例えば、不調処理部２１０は、失敗した振込のレコードと、組戻か訂正かを選択可能とするボタンとを含む画面をクライアント端末１０４のディスプレイに表示させることができる。ボタンが操作されると不調処理部２１０担当者の選択を受信する。また、不調処理部２１０は、訂正が選択された場合に、訂正内容を入力するための画面をクライアント端末１０４のディスプレイに表示させることができる。不調処理部２１０は、支払い依頼元（子会社）の選択（組戻か訂正）および訂正内容（訂正が選択された場合）をクライアント端末１０４から受信して支払不調明細データベース２２８の該当するレコードへ登録する。
【００４０】
図２（ｃ）は、支払不調明細ＤＢ２２８に登録されたレコードの例を示す。支払不調明細ＤＢ２２８のレコードは、支払代行明細ＤＢ２２４から抽出されたレコードを含むことができる。また、支払不調明細ＤＢ２２８のレコードは、支払不調明細ＤＢ２２８から抽出されたレコードを含むことができる。支払不調明細ＤＢ２２８のレコード中の一部は登録されたのちに更新される。支払不調明細ＤＢ２２８の各レコードは、支払代行明細ＤＢ２２４または支払不調明細ＤＢ２２８から抽出されたレコードに関連づけて登録される、不調明細ＩＤ、不調ＩＤ枝番、不調原因、処理結果区分、処理回数及び組戻日を含む。
【００４１】
不調明細ＩＤは、失敗した振込の明細を識別するもので、最初に振込が失敗したときに不調処理部２１０によって付与され、支払代行明細ＤＢ２２４から抽出されたレコードとともに支払不調明細ＤＢ２２８に登録される。
【００４２】
不調ＩＤ枝番は、不調明細ＩＤによって識別される振込についての不調処理についての明細を識別するもので、不調処理部２１０によって付与される。不調処理部２１０は、同一の振込が失敗するたびに不調ＩＤ枝番をインクリメントして別のレコードとして登録する。
【００４３】
不調原因は、金融機関において振込が失敗した原因であり、外部から入力される情報である。
【００４４】
処理結果区分は、失敗した振込の取り扱いに関して依頼元が選択した処理を示す。処理回数は、同一の振込についての訂正又は組戻の処理の回数を示すもので、不調処理部２１０によって計数される。なお、不調明細ＩＤの初期値を１とすることで、不調明細ＩＤと処理回数と見なすこともできる。
【００４５】
組戻日は、失敗した振込について組戻が選択された場合に、資金が被仕向金融機関から返金された日付を示す。不調処理部２１０は、外部からの情報に基づいて組戻日を登録することができる。例えば、不調処理部２１０は、支払代行会社（親会社など）の口座の明細を参照して資金が返金されたかどうかを決定し、組戻日を特定して登録することができる。別の例では、支払代行会社の担当者から組戻日の入力を受信して登録することができる。
【００４６】
図２（ｃ）は、子会社ＡからＣＭＳサーバ２００へアップロードされ１０月２６日付けで登録された２つの振込のうち、受取人を株式会社Ｘ製作所に指定した振込が失敗し、２つのレコードが支払不調明細ＤＢ２２８に登録された場合を例示する。２つのレコードは、不調明細ＩＤの値に“２０１”が登録され、同一の振込であることがわかる。不調ＩＤ枝番号又は処理回数の値が“１”であるレコードは、最初に振込が失敗したときに支払代行明細ＤＢ２２４から抽出されて登録されたレコード（支払代行明細ＩＤの値が“１０１”）である。図２（ｃ）の例では、子会社Ａにより“訂正”が選択され、受取人名が“（株）Ｘ製作所”から“Ｘ製作所（株）”に訂正されたことが登録されている。また、不調ＩＤ枝番号又は処理回数の値が“２”であるレコードは、上記訂正後の振込も失敗し、子会社Ａにより“組戻”が選択され他結果、２０１２年１１月２日に支払代行会である親会社の口座に資金が返金されたことが登録されている。
【００４７】
訂正・組戻依頼データ作成部２１２は、不調処理部２１０によって支払い依頼元（例えば、子会社）の選択（組戻か訂正）および訂正内容（訂正が選択された場合）が支払不調明細データベース２２８へ登録された後に、支払代行者（例えば、親会社）が振込不調通知への対応として金融機関へ依頼する内容を含む依頼データを作成し訂正・組戻依頼ＤＢへ登録する機能を有する。依頼データは、振込不調ＩＤ、依頼する処理の内容（訂正または組戻）及び訂正内容（訂正の場合）を含む。訂正・組戻依頼データ作成部２１２は、訂正・組戻依頼ＤＢ２３０に登録された依頼データを通信部２０２へ出力してクライアント端末１０２送信し、これにより親会社の担当者が照会及び／又は出力（ダウンロード）することを可能にする。また、訂正・組戻依頼データ作成部２１２は、親会社の担当者の指示に応答して、通信部２０２を介して訂正・組戻依頼ＤＢ２３０に登録された依頼データを送信部２０２へ出力して勘定系システム２４０へ送信することができる。別の例では、訂正・組戻依頼データ作成部２１２は、親会社の担当者の指示に応答して、訂正・組戻依頼ＤＢ２３０に登録された依頼データを通信部２０２へ出力し通信部２０２及び通信サーバ２６０へ送信することで、金融機関（親会社が口座を有する支店）へ送信することができる。親会社の担当者がクライアント端末１０２へ依頼データをダウンロードする場合には、親会社の担当者はＦＡＸ，メールなどの通信手段を使用して金融機関（親会社が口座を有する支店）へ依頼データを送付してもよい。
【００４８】
ユーザ情報ＤＢ２２２は、ＣＭＳ２００の各利用者のアカウント、パスワード、連絡先（電話番号、ＦＡＸ番号、電子メールアドレス）、タスク等の権限に関する情報を記憶する。
【００４９】
次に図３を参照して、ＣＭＳサーバ２００の動作を説明する。  
ステップＳ３０１において、通信部２０２は支払依頼元（子会社）のクライアント端末１０４からファイルを受信し、ファイル処理部２０４は、受信したファイルから振込明細を分離して抽出し、抽出した振込明細を支払代行明細ＤＢ２２４中のレコードに登録する。また、貸借処理部２０６は、受信したファイル中の振込明細に基づいて貸借ＤＢ２２６中を更新して支払代行者（親会社）及び支払依頼元（子会社）の貸借に反映する。さらに、振込処理部２０８は、複数の受信したファイルを集約して振込ファイルを作成し、勘定系システム２４０へ送信して金融機関へ振込を依頼する。
【００５０】
ステップＳ３０３において、通信部２０２は、外部から依頼した振込の内の失敗した振込に関する情報（振込日、受取人名、振込先口座、振込金額、不調原因及び振込不調ＩＤを含む）を受信する。
【００５１】
ステップＳ３０５において、不調処理部２１０は、受信した外部からの情報の一部（振込日、受取人名、振込先口座、振込金額、及び振込不調ＩＤ）をキーとして失敗した振込に対応する明細が支払不調明細ＤＢ２２８に登録されているかどうかを決定する。
【００５２】
失敗した振込に対応する明細が支払不調明細ＤＢ２２８に登録されていないと決定した場合（最初の失敗の場合）、ステップＳ３０７において、不調処理部２１０は、受信した外部からの情報の一部（振込日、受取人名、振込先口座及び振込金額）をキーとして失敗した振込に対応する明細（レコード）を支払代行明細ＤＢ２２４から抽出し、受信した外部からの情報の他の一部（不調原因及び振込不調ＩＤ）とともに支払不調明細（レコード）として支払不調明細ＤＢ２２８に登録する。この際に、不調処理部２１０は、不調明細ＩＤを付与する。支払不調明細中の不調ＩＤ枝番号及び処理回数の値は“１”として登録される。さらに、不調処理部２１０は、振込が失敗したこと等の説明を含む通知を作成して振込による支払いの依頼元の担当者宛に送付する。
【００５３】
他方、失敗した振込に対応する明細が支払不調明細ＤＢ２２８に登録されていると決定した場合（２回目以降の失敗の場合）、ステップＳ３０９において、不調処理部２１０は、受信した外部からの情報の一部（振込日、受取人名、振込先口座及び振込金額）をキーとして失敗した振込に対応する明細（レコード）を支払代行明細ＤＢ２２４から抽出し、支払不調明細（別のレコード）として支払不調明細ＤＢ２２８に登録する。この際に、不調処理部２１０は、不調原因を外部からの情報中の不調原因で更新する。支払不調明細中の不調ＩＤ枝番号及び処理回数の値はインクリメントされる。さらに、不調処理部２１０は、振込が失敗したこと等の説明を含む通知を作成して振込による支払いの依頼元の担当者宛に送付する。
【００５４】
ステップＳ３１１において、不調処理部２１０は、失敗した振込についての支払いの依頼元（子会社）の選択（振込を組戻とするか訂正とするかの選択）および訂正内容（訂正が選択された場合）をクライアント端末１０４から通信部２０２を介して受信する。
【００５５】
依頼元による選択が“訂正”である場合（ステップＳ３１３）、ステップＳ３１５において、不調処理部２１０は、支払不調ＤＢのレコード中の処理区分を“訂正”に更新し、不調原因となった項目を訂正した内容で更新する（例えば、（株）Ｘ製作所を、Ｘ製作所（株）に変更する）ことで訂正内容を反映する。また、訂正・組戻依頼データ作成部２１２は、振込不調通知への対応として金融機関へ依頼する内容を含む依頼データを作成し送信部２０２へ出力する。作成された依頼データは、支払不調ＤＢのレコード中の値を参照して生成され、例えば、処理区分の値（“訂正”）、被仕向金融機関によって付与された振込不調ＩＤ（例えば、“１０００１”）及び訂正された項目の値（例えば、受取人名である“Ｘ製作所（株）”）を含み、訂正されていない項目の値（例えば、振込日、振込先口座及び振込金額）を含んでもよい。上述したように、依頼データは、勘定系システム２４０、通信サーバ２６０または支払代行者（親会社）のクライアント端末１０２へ送信することができる。
【００５６】
依頼元による選択が“組戻”の場合（ステップＳ３１３）、ステップＳ３１７において、不調処理部２１０は、支払不調ＤＢのレコード中の処理区分を“組戻”に更新する。また、訂正・組戻依頼データ作成部２１２は、振込不調通知への対応として金融機関へ依頼する内容を含む依頼データを作成し送信部２０２へ出力する。作成された依頼データは、支払不調ＤＢのレコード中の値を参照して生成され、例えば、処理区分の値（“訂正”）及び被仕向金融機関によって付与された振込不調ＩＤ（例えば、“１０００１”）を含み、訂正されていない項目の値（例えば、振込日、受取人名、振込先口座及び振込金額）を含んでもよい。依頼データは、勘定系システム２４０、通信サーバ２６０または支払代行者（親会社）のクライアント端末１０２へ送信することができる。
【００５７】
ステップ３１９において、不調処理部２１０は、支払不調ＤＢ中の処理区分の値が“組戻”であり、かつ組戻日が登録されていないレコードを特定し、支払代行者（親会社）の口座に資金が返金されたかどうかを確認する。返金されている場合には、支払不調ＤＢ中の組戻日を更新する。また、貸借処理部２０６は、貸借ＤＢを更新することで当該組戻を貸借に反映する。
【符号の説明】
【００５８】
１０２  クライアント（支払代行者、振込依頼者、親会社）
１０４  クライアント（支払代行依頼者、子会社）
２００  ＣＭＳサーバ
２０２  通信部
２０４  ファイル処理部
２０６  貸借処理部
２０８  振込処理部
２１０  不調処理部
２１２  訂正・組戻依頼データ作成部
２２２  ユーザ情報データベース
２２４  支払代行明細データベース
２２６  貸借データベース
２２８  支払不調明細データベース
２３０  訂正・組戻依頼データベース
２４０  勘定系システム
２６０  通信サーバ
２６２  ＦＡＸサーバ
２６４  メールサーバ
３００  通信網
６００  被仕向金融機関
【図１】
2014119812.tif 000003
【図２】
2014119812.tif 000004
【図３】
2014119812.tif 000005
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
支払代行明細記憶手段、支払不調明細記憶手段、訂正・組戻依頼記憶手段、ファイル処理手段、振込処理手段、不調処理手段、訂正・組戻依頼データ作成手段及び通信手段を備え、支払代行者が操作する第１のクライアント端末、支払依頼者が操作する第２のクライアント端末及び金融機関の勘定系システムと前記通信手段を介して通信するキャッシュマネージメントシステムサーバであって、
前記ファイル処理手段は、前記第２のクライアント端末から送信されたファイルから、振込日、受取人名、振込先口座識別情報及び振込金額を含む支払いに係る各振込明細を抽出して支払代行明細としてレコード毎に前記支払代行明細記憶手段に登録するように構成され、
前記振込処理手段は、前記第１のクライアント端末からの指示に応答して、前記ファイルを集約して集約振込ファイルを作成し、前記通信手段を介して前記勘定系システムへ送信するように構成され、
前記不調処理手段は、外部から入力された情報に含まれた振込に失敗した振込明細中の振込日、受取人名、振込先口座識別情報及び振込金額に基づいて前記支払代行明細記憶手段から当該失敗した振込に該当する支払代行明細を抽出して、前記支払不調明細記憶手段へ支払不調明細としてレコード毎に登録するように構成され、前記支払不調明細は前記外部から入力された情報に含まれた被仕向け金融機関により付与された前記失敗した振込を識別する振込不調識別情報及び不調原因を含み、前記不調処理手段は、前記第２のクライアント端末から前記失敗した振込の処理を訂正とする選択及び当該訂正内容を受信して前記支払不調明細記憶手段の該当するレコードへ登録するようにさらに構成され、
前記訂正・組戻依頼データ作成手段は、前記第１のクライアント端末からの指示に応答して、前記支払不調明細記憶手段に登録された、前記振込不調識別情報と、前記失敗した振込の処理を訂正とする選択及び訂正内容とを含む依頼データを作成し前記訂正・組戻依頼記憶手段へ登録し、作成した前記依頼データを前記通信手段へ出力するように構成された、
ことを特徴とするキャッシュマネージメントシステムサーバ。
【請求項２】
前記外部から入力された情報は、前記第１のクライアント端末または前記勘定系システムから入力された情報であることを特徴とする請求項１に記載のキャッシュマネージメントシステムサーバ。
【請求項３】
作成した前記依頼データは前記通信手段を介して前記第１のクライアント端末、前記勘定系システム及び通信サーバのいずれかへ送信されることを特徴とする請求項１または２に記載のキャッシュマネージメントシステムサーバ。
【請求項４】
前記不調処理手段は、前記第２のクライアント端末から前記失敗した振込の処理を組戻とする選択を受信して前記支払不調明細記憶手段の該当するレコードへ登録するようにさらに構成され、
前記訂正・組戻依頼データ作成手段は、前記第１のクライアント端末からの指示に応答して、前記支払不調明細記憶手段に登録された、前記振込不調識別情報と、前記失敗した振込の処理を組戻とする選択とを含む依頼データを作成し前記訂正・組戻依頼記憶手段へ登録し、作成した前記依頼データを前記通信手段へ出力するようにさらに構成され、
支払代行者の貸借及び支払依頼者の貸借を記憶する貸借記憶手段、及び
受信した前記ファイル中の前記振込明細に基づいて前記貸借記憶手段中の前記支払代行者の貸借及び支払依頼者の貸借を更新するように構成され貸借処理手段をさらに備え、
前記貸借処理手段は、前記失敗した振込の処理を組戻とする選択を含む前記依頼データを送信した後に、前記失敗した振込に関する資金の返金を反映するように、前記貸借記憶手段中の前記支払代行者の貸借及び支払依頼者の貸借を更新するようにさらに構成されたことを特徴とする請求項１、２または３に記載のキャッシュマネージメントシステムサーバ。
【請求項５】
支払代行明細記憶手段、支払不調明細記憶手段、訂正・組戻依頼記憶手段、通信手段及びプロセッサを備え、支払代行者が操作する第１のクライアント端末、支払依頼者が操作する第２のクライアント端末及び金融機関の勘定系システムと前記通信手段を介して通信するコンピュータを、キャッシュマネージメントシステムサーバとし機能させるプログラムであって、前記プログラムは前記コンピュータを、
前記第２のクライアント端末から送信されたファイルから、振込日、受取人名、振込先口座識別情報及び振込金額を含む支払いに係る各振込明細を抽出して支払代行明細としてレコード毎に前記支払代行明細記憶手段に登録するファイル処理手段と、
前記第１のクライアント端末からの指示に応答して、前記ファイルを集約して集約振込ファイルを作成し、前記通信手段を介して前記勘定系システムへ送信する振込処理手段と、
外部から入力された情報に含まれた振込に失敗した振込明細中の振込日、受取人名、振込先口座識別情報及び振込金額に基づいて前記支払代行明細記憶手段から当該失敗した振込に該当する支払代行明細を抽出して、前記支払不調明細記憶手段へ支払不調明細としてレコード毎に登録する不調処理手段であって、前記支払不調明細は前記外部から入力された情報に含まれた被仕向け金融機関により付与された前記失敗した振込を識別する振込不調識別情報及び不調原因を含み、前記第２のクライアント端末から訂正とする選択及び当該訂正内容を受信して前記支払不調明細記憶手段の該当するレコードへ登録する前記不調処理手段と、
前記第１のクライアント端末からの指示に応答して、前記支払不調明細記憶手段に登録された、前記振込不調識別情報と、前記失敗した振込の処理を訂正とする選択及び訂正内容とを含む依頼データを作成し前記訂正・組戻依頼記憶手段へ登録し、作成した前記依頼データを前記通信手段へ出力する訂正・組戻依頼データ作成手段と、
して機能させることを特徴とするプログラム。
【請求項６】
支払代行明細記憶手段、支払不調明細記憶手段、訂正・組戻依頼記憶手段、通信手段及びプロセッサを備え、支払代行者が操作する第１のクライアント端末、支払依頼者が操作する第２のクライアント端末及び金融機関の勘定系システムと前記通信手段を介して通信するキャッシュマネージメントシステムサーバにおいて実施する支払代行方法であって、
前記第２のクライアント端末から送信されたファイルから、振込日、受取人名、振込先口座識別情報及び振込金額を含む支払いに係る各振込明細を抽出して支払代行明細としてレコード毎に前記支払代行明細記憶手段に登録するステップと、
前記第１のクライアント端末からの指示に応答して、前記ファイルを集約して集約振込ファイルを作成し、前記通信手段を介して前記勘定系システムへ送信するステップと、
振込に失敗した振込明細中の振込日、受取人名、振込先口座識別情報及び振込金額を含む情報を外部から受信するステップと、
受信した前記外部からの情報に基づいて前記支払代行明細記憶手段から当該失敗した振込に該当する支払代行明細を抽出して、前記支払不調明細記憶手段へ支払不調明細としてレコード毎に登録するステップであって、前記支払不調明細は前記外部から入力された情報に含まれた被仕向け金融機関により付与された前記失敗した振込を識別する振込不調識別情報及び不調原因を含む、ステップと、
前記第２のクライアント端末から前記失敗した振込の処理を訂正とする選択及び当該訂正内容を受信して前記支払不調明細記憶手段の該当するレコードへ登録するステップと、
前記第１のクライアント端末からの指示に応答して、前記支払不調明細記憶手段に登録された、前記振込不調識別情報と、前記失敗した振込の処理を訂正とする選択及び訂正内容とを含む依頼データを作成し前記訂正・組戻依頼記憶手段へ登録し、作成した前記依頼データを前記通信手段へ出力するステップと、
を含むことを特徴とする支払代行方法。